(57)【特許請求の範囲】
【請求項１】
前後に磁極を有する磁石をフレームスチーブに沿って配設してなり、前記磁石は、ヘルドの端部を前後に磁化することを特徴とする綜絖枠におけるヘルドの配列装置。
【請求項２】
前記磁石には、補強材を付設することを特徴とする請求項１記載の綜絖枠におけるヘルドの配列装置。
【請求項３】
前記補強材は、強磁性体とすることを特徴とする請求項２記載の綜絖枠におけるヘルドの配列装置。
【請求項４】
前記磁石は、フレームスチーブに装着することを特徴とする請求項１ないし請求項３のいずれか記載の綜絖枠におけるヘルドの配列装置。
【請求項５】
前記磁石は、ホルダを介してフレームスチーブに装着することを特徴とする請求項４記載の綜絖枠におけるヘルドの配列装置。
【請求項６】
前記磁石は、ミドルフックを介してフレームスチーブに装着することを特徴とする請求項４記載の綜絖枠におけるヘルドの配列装置。
【請求項７】
前記磁石は、フレームスチーブの長手方向に分割して配置するヘルドに対応させて設けることを特徴とする請求項１ないし請求項６のいずれか記載の綜絖枠におけるヘルドの配列装置。
【請求項８】
前記磁石は、上下のフレームスチーブに沿って配設することを特徴とする請求項１ないし請求項７のいずれか記載の綜絖枠におけるヘルドの配列装置。
【発明の詳細な説明】
【０００１】
【発明の属する技術分野】
この発明は、織機の稼動率を向上し、織機の騒音を効果的に低減させることができる綜絖枠におけるヘルドの配列装置に関する。
【０００２】
【従来の技術】
綜絖枠において、ヘルドは、キャリヤロッドを介して上下のフレームスチーブ間に保持されている。
【０００３】
すなわち、ヘルドは、端部に形成する開口部にキャリヤロッドを挿通させることにより、上下のフレームスチーブ間に装着されている。なお、ヘルドは、キャリヤロッドに沿って移動自在であり、しかも、開口部を介して僅かに上下動が許容されている。
【０００４】
【発明が解決しようとする課題】
かかる従来技術によるときは、ヘルドは、開口部を介して上下動が許容されているから、開口動作時において、開口部の一端がキャリヤロッドを打撃することにより大きな衝撃音が発生し、高速運転時における織機の騒音の主要な要因となる上、ヘルドやキャリヤロッドが早期に磨耗してしまうという問題があった。また、ヘルドは、キャリヤロッドに沿って移動自在であるから、フレームスチーブ間において傾いたり、経糸の糊剤やウォータジェットルームの緯入れ用の水等により互いに密着して経糸にブリッジ現象が発生したり、静電気により経糸が互いに絡み合ったりし、製織動作に支障を来たす可能性があるという問題もあった。
【０００５】
そこで、この発明の目的は、かかる従来技術の問題に鑑み、ヘルドの端部を磁化する磁石を採用することによって、開口動作に伴う織機の騒音を小さく抑えるとともに、キャリヤロッド上のヘルドを整然と分離して配列させることができる綜絖枠におけるヘルドの配列装置を提供することにある。
【０００６】
【課題を解決するための手段】
かかる目的を達成するためのこの発明の構成は、前後に磁極を有する磁石をフレームスチーブに沿って配設してなり、磁石は、ヘルドの端部を前後に磁化することをその要旨とする。
【０００７】
なお、磁石には、補強材を付設してもよく、補強材は、強磁性体としてもよい。
【０００８】
また、磁石は、フレームスチーブに装着することができる。なお、磁石は、ホルダを介してフレームスチーブに装着してもよく、ミドルフックを介してフレームスチーブに装着してもよい。
【０００９】
さらに、磁石は、フレームスチーブの長手方向に分割して配置するヘルドに対応させて設けることができる。
【００１０】
また、ヘルドは、上下のフレームスチーブに沿って配設してもよい。
【００１１】
【作用】
かかる発明の構成によるときは、磁石は、フレームスチーブに沿って配設されており、磁極を前後に有するから、ヘルドの端部を前後に磁化することができ、キャリヤロッド上のヘルドを互いに整然と分離して配列させることができる。ヘルドは、磁石からの磁束により、前後に同一極性に磁化され、互いに反発するからである。また、磁石は、ヘルドをフレームスチーブ側に引きつけ、ヘルドの上下動を抑制することにより、開口運動時において、キャリヤロッドに対するヘルドの相対速度が過大になることを防止し、開口運動に伴う衝撃音を大幅に低減させることができる。
【００１２】
磁石に補強材を付設するときは、補強材は、磁石の強度を大きくし、磁石の破損を防止する。
【００１３】
補強材を強磁性体とすれば、補強材は、ヘルドの端部における磁束密度を一層大きくすることができる。
【００１４】
磁石をフレームスチーブに装着すれば、磁石は、フレームスチーブの形式に拘らず、容易に適用可能である。
【００１５】
ホルダを介して磁石をフレームスチーブに装着すれば、ホルダは、磁石をヘルドの端部に十分近付けて位置させることができ、ヘルドの端部を一層強力に磁化することができる。
【００１６】
ミドルフックを介して磁石を装着するときは、ミドルフックは、キャリヤロッドとともに磁石を保持することができ、磁石を保持するために格別なホルダを使用しなくてもよい。
【００１７】
ヘルドに対応させて磁石を設けるときは、磁石は、必要最少範囲に亘って設ければよく、綜絖枠の重量増加を最少に抑えることができる。
【００１８】
上下のフレームスチーブに沿って磁石を配設すれば、上下の磁石は、ヘルドの両端部を同時に磁化することができ、経糸の糊剤等によるヘルドの密着現象を一層確実に防止することができる。
【００１９】
【発明の実施の形態】
以下、図面を以って発明の実施の形態を説明する。
【００２０】
綜絖枠におけるヘルドの配列装置は、前後に磁極Ｎ、Ｓを有する磁石１１をフレームスチーブ２１に沿って配設してなる（図１、図２）。ただし、磁石１１は、綜絖枠Ｓの上下のフレームスチーブ２１、２１に対し、それぞれ対称的に装着されている。
【００２１】
綜絖枠Ｓは、上下のフレームスチーブ２１、２１、左右のサイドステー２２、２２を枠状に組み立てて形成されている。フレームスチーブ２１、２１の間には、上下のキャリヤロッド２３、２３を介し、多数のヘルド２４、２４…が組み付けられている。各フレームスチーブ２１は、アルミニウム合金材や、一般的なＦＲＰ材、炭素繊維強化形のＦＲＰ材等のような軽量の高張力材料からなる板状の中空部材である。フレームスチーブ２１、２１は、それぞれの内側端面に沿って凹部２１ａが形成されており（図１、図３）、凹部２１ａの開口部には、内向きの突条２１ａ1 、２１ａ1 が形成されている。また、フレームスチーブ２１の内部には、リブ２１ｂ、２１ｂによって仕切られる空洞部２１ｃ、２１ｃが形成されている。
【００２２】
各ヘルド２４の両端部には、キャリロッド２３を挿通させる開口部２４ａ、２４ａが形成されており、中間部には、図示しない糸メールが形成されている。開口部２４ａ、２４ａは、それぞれキャリロッド２３の断面サイズよりも大きく形成されている。したがって、ヘルド２４、２４…は、キャリヤロッド２３、２３により、キャリヤロッド２３、２３に沿って左右に移動自在に支持されており、キャリヤロッド２３、２３に対する開口部２４ａ、２４ａのクリアランスｄa 相当だけ上下に移動自在となっている。なお、キャリロッド２３、２３の各両端は、サイドステー２２、２２を介して支持されている。
【００２３】
磁石１１は、各フレームスチーブ２１の凹部２１ａに対し、補強材１２とともに収納されている。補強材１２は、非磁性体により、凹部２１ａ、磁石１１の双方に適合する断面コ字状に形成されており、図示しない接着剤を介して磁石１１に付設されている。磁石１１は、補強材１２とともに凹部２１ａに挿着され、凹部２１ａの突条２１ａ1 、２１ａ1 を介し、一部がフレームスチーブ２１の内側に突出している。
【００２４】
各磁石１１は、綜絖枠Ｓの前後方向に対応する前面、後面に磁極Ｎ、Ｓを有する永久磁石である。そこで、磁石１１は、対向するヘルド２４、２４…の端部を同一極性に磁化することができる（図３、図４）。すなわち、ヘルド２４、２４…は、それぞれの端部において、前部または後部がすべて同一の磁極Ｓ、Ｓ…または磁極Ｎ、Ｎ…に磁化されることにより互いに反発し、キャリヤロッド２３に沿ってほぼ等ピッチｄ1 ごとに整然と分離して配列させることができる。また、上下の磁石１１、１１は、ヘルド２４、２４…をフレームスチーブ２１、２１に向けて引きつけることにより、開口運動に伴うヘルド２４、２４…の上下動を抑え、開口運動による騒音を小さくすることができる。
【００２５】
なお、上下の磁石１１、１１とヘルド２４、２４…とのクリアランスｄ2 、ｄ3 は、それぞれｄ2 ≒２mm程度、ｄ2 ＜ｄ3 ≒３mm程度に設定するのがよい。ただし、磁石１１、１１は、上下のフレームスチーブ２１、２１の一方のみに装着してもよいものとする。
【００２６】
【他の実施の形態】
磁石１１、１１…は、フレームスチーブ２１の長手方向に分割して配置するヘルド２４、２４…の位置に対応させて設けてもよい（図５）。すなわち、磁石１１、１１…は、フレームスチーブ２１の長手方向に沿って、ヘルド２４、２４…の各群に対応するようにしてフレームスチーブ２１に装着されている。なお、各磁石１１の長さａは、ヘルド２４、２４…の各群の幅ｂに対し、ａ≧ｂに形成するのがよい。
【００２７】
磁石１１は、ホルダ１３を介してフレームスチーブ２１に装着してもよい（図６）。ただし、図６（Ｂ）、（Ｃ）は、それぞれ同図（Ａ）のＡ1 −Ａ1 線、Ａ2 −Ａ2 線矢視相当拡大断面図である。
【００２８】
キャリヤロッド２３は、ミドルフックハンガ２５、２５…、ミドルフック２６、２６…を介してフレームスチーブ２１に支持されている。各ミドルフックハンガ２５は、上部の係合部２５ａを凹部２１ａに挿入することによりフレームスチーブ２１に装着されており（図６（Ｃ））、下部の脚部２５ｂ、２５ｂ間にミドルフック２６の頭部２６ａを進入させることにより、ミドルフック２６を保持している。また、ミドルフック２６は、下部の係止部２６ｂを介してキャリヤロッド２３を支持している。
【００２９】
一方、ホルダ１３は、プラスチック等の非磁性体からなり、凹部２１ａに適合する係合部１３ａの両側に脚部１３ｃ、１３ｃを垂設し（図６（Ｂ））、脚部１３ｃ、１３ｃの下端に保持部１３ｂ、１３ｂが形成されている。また、磁石１１は、接着剤等を介して保持部１３ｂ、１３ｂの間に装着されている。なお、ホルダ１３の係合部１３ａの長さは、ミドルフックハンガ２５、２５の間隔に適合し、保持部１３ｂ、１３ｂ、磁石１１の長さは、ミドルフック２６、２６の間隔に適合するように設定されている。そこで、ホルダ１３、１３…の係合部１３ａ、１３ａ…は、ミドルフックハンガ２５、２５…がフレームスチーブ２１に沿って移動することを防止しており、保持部１３ｂ、１３ｂ…、磁石１１、１１…は、ミドルフック２６、２６…が移動することを防止している。
【００３０】
磁石１１は、ミドルフック２６、２６…を介してフレームスチーブ２１に装着してもよい（図７）。ただし、図７（Ｂ）、（Ｃ）は、それぞれ同図（Ａ）のＢ1 −Ｂ1 線、Ｂ2 −Ｂ2 線矢視相当拡大断面図である。
【００３１】
ミドルフックハンガ２５、２５…は、フレームスチーブ２１の凹部２１ａに収納するスペーサ２７を介して左右の移動が規制されている。磁石１１の前後には、強磁性体からなる補強材１２、１２が付設されており、各ミドルフック２６には、キャリヤロッド２３を挿通する係止部２６ｂの他に、補強材１２、１２付きの磁石１１を保持する保持孔２６ｃが形成されている。そこで、磁石１１は、補強材１２、１２とともに保持孔２６ｃ、２６ｃ…に挿通することにより、ミドルフック２６、２６…を介して支持することができる。補強材１２、１２は、ヘルド２４、２４…の端部における磁束密度を高めることができる。
【００３２】
磁石１１は、ライダレス形式のフレームスチーブ２１に直接装着してもよい（図８）。キャリヤロッド２３は、リベット２３ｅを介してフレームスチーブ２１に固定されており、ヘルド２４の端部には、フック状の開口部２４ａが形成されている。磁石１１は、フレームスチーブ２１の内側端面に形成する凹部２１ｄに収納することにより、フレームスチーブ２１に装着されている（図８（Ａ）、（Ｂ））。なお、凹部２１ｄには、前後の突条２１ｄ1 、２１ｄ1 を前後に内向きに形成してもよい（同図（Ｂ））。また、磁石１１は、前後の補強材１２、１２とともに凹部２１ｄに収納してもよい（同図（Ｃ）、（Ｄ））。補強材１２、１２は、磁石１１の下面からヘルド２４に向けて突出させてもよく（同図（Ｃ））、凹部２１ｄの突条２１ｄ1 、２１ｄ1 に係合させてもよい（同図（Ｄ））。
【００３３】
以上の説明において、磁石１１は、上下のフレームスチーブ２１、２１の一方または双方に沿って配設することができる。すなわち、磁石１１は、上部または下部のフレームスチーブ２１に対してのみ付設し、または上下のフレームスチーブ２１、２１の双方に付設してもよい。また、磁石１１は、電磁石であってもよい。ただし、電磁石は、たとえば可撓性のケーブルを介して綜絖枠Ｓの外部から給電してもよく、あるいは、綜絖枠Ｓの開口運動を利用して発電する蓄電機能付きの発電ユニットを綜絖枠Ｓに組み込み、発電ユニットによって給電してもよい。
【００３４】
【発明の効果】
以上説明したように、この発明によれば、前後に磁極を有する磁石をフレームスチーブに沿って配設することによって、磁石は、ヘルドの端部を前後に同一極性に磁化し、キャリヤロッド上のヘルドを互いに整然と分離して配列させることができるから、経糸のブリッジ現象や静電気による経糸の絡み等を防止して織機の稼働率を向上させることができる上、ヘルドをフレームスチーブ側に引きつけ、ヘルドの上下動を抑制することができるから、綜絖枠の開口動作に伴う織機の騒音を効果的に低減させることができるという極めて優れた効果がある。
【図面の簡単な説明】
【図１】  要部構成斜視図
【図２】  綜絖枠の正面説明図
【図３】  図２のＸ−Ｘ線矢視相当拡大断面説明図
【図４】  図３のＹ矢視相当拡大説明図
【図５】  他の実施の形態を示す図２相当図
【図６】  他の実施の形態を示す構成説明図（１）
【図７】  他の実施の形態を示す構成説明図（２）
【図８】  他の実施の形態を示す構成説明図（３）
【符号の説明】
Ｎ、Ｓ…磁極
１１…磁石
１２…補強材
１３…ホルダ
２１…フレームスチーブ
２３…キャリヤロッド
２４…ヘルド
２６…ミドルフック
【図１】
0003750096.tif 000002
【図２】
0003750096.tif 000003
【図３】
0003750096.tif 000004
【図４】
0003750096.tif 000005
【図５】
0003750096.tif 000006
【図６】
0003750096.tif 000007
【図７】
0003750096.tif 000008
【図８】
0003750096.tif 000009